(57)【要約】【課題】電源装置を継続使用可能とし、ユーザの利便性を損なうことなく当該電源装置の過熱対策を行う。【解決手段】過昇温時間算出部は、温度検出部が検出したトランスの温度Ｔｎをサンプリングし、予め定められた期間に温度Ｔｎが上限値Ｔｈ１を超えた頻度である過昇温頻度を算出する（Ｓ１〜Ｓ６）。出力電圧検出部が検出した前記トランスの出力電圧に応じて当該出力電圧を調整する出力電圧調整部は、前記過昇温頻度が、予め定められた第１の値以上となった場合に（Ｓ６でＹＥＳ）、当該出力電圧を昇圧させて前記ファンモータの駆動電圧を昇圧させる（Ｓ９）。【選択図】図３
2014107892.tif 000002
【特許請求の範囲】
【請求項１】
トランスと、
前記トランスで変圧された電力が供給されるファンモータと、
前記ファンモータにより駆動され、前記トランスを冷却する冷却ファンと、
前記トランスの温度を検出する温度検出部と、
前記温度検出部が検出した前記温度が予め定められた上限値以上となった場合に前記ファンモータを駆動させるファンモータ制御部と、
前記温度検出部が検出した温度を予め定められた時間毎に読込み、予め定められた期間に当該温度が前記上限値を超えた頻度である過昇温頻度を算出する過昇温頻度算出部と、
前記トランスの出力電圧を検出する出力電圧検出部と、
前記出力電圧検出部が検出した前記トランスの前記出力電圧に応じて当該出力電圧を調整し、前記過昇温頻度算出部が算出した前記過昇温頻度が、予め定められた第１の値以上となった場合に、当該出力電圧を昇圧させて前記ファンモータの駆動電圧を昇圧させる出力電圧調整部と、
を備える電源装置。
【請求項２】
前記出力電圧調整部は、前記過昇温頻度算出部が算出した前記過昇温頻度が、予め定められた第１の値以上となった場合に、前記出力電圧調整部の検出値として当該検出値の実測値から予め定められた値を減じた値を用いることで前記出力電圧を昇圧させて前記ファンモータの駆動電圧を昇圧させる請求項１に記載の電源装置。
【請求項３】
前記出力電圧調整部は、前記過昇温頻度算出部が算出した前記過昇温頻度が、前記第１の値以上となった後に、当該過昇温頻度が、前記第１の値よりも小さい予め定められた第２の値以下となった場合には、前記出力電圧の昇圧を停止し前記ファンモータの駆動電圧の昇圧を停止させる請求項１または２に記載の電源装置。
【請求項４】
トランスと、
前記トランスで変圧された電力が供給されるファンモータと、
前記ファンモータにより駆動され、前記トランスを冷却する冷却ファンと、
前記トランスの温度を検出する温度検出部と、
前記温度検出部が検出した前記温度が予め定められた上限値以上となった場合に前記ファンモータを駆動させるファンモータ制御部と、
前記温度検出部が検出した温度を読込み、当該温度が前記上限値以上となった場合に、当該温度が継続して前記上限値以上となっている時間である過昇温時間を算出する過昇温時間算出部と、
前記トランスの出力電圧を検出する出力電圧検出部と、
前記出力電圧検出部が検出した前記トランスの前記出力電圧に応じて当該出力電圧を調整し、前記過昇温時間算出部が算出した前記過昇温時間が、予め定められた第１の時間以上となった場合に、当該出力電圧を昇圧させて前記ファンモータの駆動電圧を昇圧させる出力電圧調整部と、
を備える電源装置。
【請求項５】
前記出力電圧調整部は、前記過昇温時間算出部が算出した前記過昇温時間が、予め定められた第１の時間以上となった場合に、前記出力電圧検出部の検出値として当該検出値の実測値から予め定められた値を減じた値を用いることで前記トランスの出力電圧を昇圧させて前記ファンモータの駆動電圧を昇圧させる請求項４に記載の電源装置。
【請求項６】
前記出力電圧調整部は、前記温度検出部が検出した前記温度が前記上限値以上となった第１の時点の後に、前記温度検出部が検出した前記温度が前記上限値未満となった第２の時点から、当該温度が当該上限値以上となることなく、予め定められた第２の時間を経過した場合には、前記出力電圧の昇圧を停止し前記ファンモータの駆動電圧の昇圧を停止させる請求項４または５に記載の電源装置。
【発明の詳細な説明】
【技術分野】
【０００１】
本発明は、電源装置が有するトランスの過熱対策に関する。
【背景技術】
【０００２】
例えば画像形成装置等の機器に用いられる電源装置は、発熱部であるトランスを有する。当該トランスが過熱すると、当該電源装置に設けられているスイッチング素子の劣化等の不具合を生じる。そのため、当該トランスの過熱対策として、当該トランスに、所定温度で溶断する温度ヒューズを接触させたり、当該トランスの温度を検知する例えばサーミスタ等の温度センサを搭載し、当該温度センサの検知温度が所定温度以上となった場合に冷却ファンを動作させたりしている。このような過熱対策の一例としては、例えば特許文献１に、ラインフィルタートランスとヒューズとが熱的に一体的に構成された過電流抑圧回路が開示されている。
【先行技術文献】
【特許文献】
【０００３】
【特許文献１】特開平８−６６０３６号公報
【発明の概要】
【発明が解決しようとする課題】
【０００４】
しかしながら、前記トランスの過熱により温度ヒューズが溶断した場合は、前記電源装置および電力供給のために当該電源装置を用いる機器は使用不能となってしまう。また、前記サーミスタ等の温度センサの検知温度が所定値以上の場合に冷却ファンを動作させる場合は、冷却ファンの作動頻度の上昇や作動時間の増加によって冷却ファンが損耗し、性能が低下することがある。当該冷却ファンの性能が低下すると、過熱した前記トランスの冷却が不十分となり、その結果、前記電源装置を制御するスイッチング素子の劣化等によって当該電源装置が使用不能となるおそれがある。
【０００５】
本発明は、このような従来の課題を解決するためになされたものであり、前記電源装置を継続使用可能とし、ユーザの利便性を損なうことなく当該電源装置が有する前記トランスの過熱対策を行うことを目的とする。
【課題を解決するための手段】
【０００６】
本発明の請求項１に係る電源装置は、トランスと、前記トランスで変圧された電力が供給されるファンモータと、前記ファンモータにより駆動され、前記トランスを冷却する冷却ファンと、前記トランスの温度を検出する温度検出部と、前記温度検出部が検出した前記温度が予め定められた上限値以上となった場合に前記ファンモータを駆動させるファンモータ制御部と、前記温度検出部が検出した温度を予め定められた時間毎に読込み、予め定められた期間に当該温度が前記上限値を超えた頻度である過昇温頻度を算出する過昇温頻度算出部と、前記トランスの出力電圧を検出する出力電圧検出部と、前記出力電圧検出部が検出した前記トランスの前記出力電圧に応じて当該出力電圧を調整し、前記過昇温頻度算出部が算出した前記過昇温頻度が、予め定められた第１の値以上となった場合に、当該出力電圧を昇圧させて前記ファンモータの駆動電圧を昇圧させる出力電圧調整部と、を備える。
【０００７】
本発明の請求項２に係る電源装置は、請求項１に係る電源装置において、前記出力電圧調整部は、前記過昇温頻度算出部が算出した前記過昇温頻度が、予め定められた第１の値以上となった場合に、前記出力電圧調整部の検出値として当該検出値の実測値から予め定められた値を減じた値を用いることで前記出力電圧を昇圧させて前記ファンモータの駆動電圧を昇圧させる。
【０００８】
請求項１または２に係る発明によれば、前記出力電圧調整部は、前記過昇温頻度算出部が算出した前記過昇温頻度が、予め定められた第１の値以上となった場合に、前記トランスの前記出力電圧を昇圧させて前記ファンモータの駆動電圧を昇圧させる。これにより、前記過昇温頻度が予め定められた第１の値以上となった場合に、当該ファンモータの回転数を増加させて前記冷却ファンの冷却能力を向上させることが可能となる、そのため、当該電源装置が有する発熱部である前記トランスの過熱による温度ヒューズの溶断を抑制可能となる。また、当該冷却ファンの冷却能力が向上することで、当該冷却ファンの作動頻度および作動時間を低減することが可能となるので、当該冷却ファンの損耗を抑制可能となる。したがって、前記電源装置を継続使用可能とし、ユーザの利便性を損なうことなく当該電源装置が有する前記トランスの過熱対策を行うことが可能となる。
【０００９】
本発明の請求項３に係る電源装置は、請求項１または２に係る電源装置において、前記出力電圧調整部は、前記過昇温頻度算出部が算出した前記過昇温頻度が、前記第１の値以上となった後に、当該過昇温頻度が、前記第１の値よりも小さい予め定められた第２の値以下となった場合には、前記出力電圧の昇圧を停止し前記ファンモータの駆動電圧の昇圧を停止させる。
【００１０】
請求項３に係る発明によれば、前記出力電圧調整部は、前記過昇温頻度算出部が算出した前記過昇温頻度が、前記第１の値以上となった後に、当該過昇温頻度が、前記第１の値よりも小さい予め定められた第２の値以下となった場合には、前記出力電圧の昇圧を停止し前記ファンモータの駆動電圧の昇圧を停止させるので、前記ファンモータの駆動電圧を必要なときのみに昇圧させることが可能となり、前記トランスの過熱対策と省エネルギー化とを両立させることが可能となる。
【００１１】
本発明の請求項４に係る電源装置は、トランスと、前記トランスで変圧された電力が供給されるファンモータと、前記ファンモータにより駆動され、前記トランスを冷却する冷却ファンと、前記トランスの温度を検出する温度検出部と、前記温度検出部が検出した前記温度が予め定められた上限値以上となった場合に前記ファンモータを駆動させるファンモータ制御部と、前記温度検出部が検出した温度を読込み、当該温度が前記上限値以上となった場合に、当該温度が継続して前記上限値以上となっている時間である過昇温時間を算出する過昇温時間算出部と、前記トランスの出力電圧を検出する出力電圧検出部と、前記出力電圧検出部が検出した前記トランスの前記出力電圧に応じて当該出力電圧を調整し、前記過昇温時間算出部が算出した前記過昇温時間が、予め定められた第１の時間以上となった場合に、当該出力電圧を昇圧させて前記ファンモータの駆動電圧を昇圧させる出力電圧調整部と、を備える。
【００１２】
本発明の請求項５に係る電源装置は、請求項４に係る電源装置において、前記出力電圧調整部は、前記過昇温時間算出部が算出した前記過昇温時間が、予め定められた第１の時間以上となった場合に、前記出力電圧検出部の検出値として当該検出値の実測値から予め定められた値を減じた値を用いることで前記トランスの出力電圧を昇圧させて前記ファンモータの駆動電圧を昇圧させる。
【００１３】
請求項４または５に係る発明によれば、前記出力電圧調整部は、前記過昇温時間算出部が算出した前記過昇温時間が、予め定められた第１の時間以上となった場合に、前記トランスの前記出力電圧を昇圧させて前記ファンモータの駆動電圧を昇圧させる。これにより、前記過昇温時間が予め定められた第１の時間以上となった場合に、当該ファンモータの回転数を増加させて前記冷却ファンの冷却能力を向上させることが可能となる、そのため、当該電源装置が有する発熱部である前記トランスの過熱による温度ヒューズの溶断を抑制可能となる。また、当該冷却ファンの冷却能力が向上することで、当該冷却ファンの作動頻度および作動時間を低減することが可能となるので、当該冷却ファンの損耗を抑制可能となる。したがって、前記電源装置を継続使用可能とし、ユーザの利便性を損なうことなく当該電源装置が有する前記トランスの過熱対策を行うことが可能となる。
【００１４】
本発明の請求項６に係る電源装置は、請求項４または５に係る電源装置において、前記出力電圧調整部は、前記温度検出部が検出した前記温度が前記上限値以上となった第１の時点の後に、前記温度検出部が検出した前記温度が前記上限値未満となった第２の時点から、当該温度が当該上限値以上となることなく、予め定められた第２の時間を経過した場合には、前記出力電圧の昇圧を停止し前記ファンモータの駆動電圧の昇圧を停止させる。
【００１５】
請求項６に係る発明によれば、前記出力電圧調整部は、前記第２の時点から、前記温度検出部が検出した前記温度が前記上限値以上となることなく、予め定められた第２の時間を経過した場合には、前記出力電圧の昇圧を停止し前記ファンモータの駆動電圧の昇圧を停止させるので、前記ファンモータの駆動電圧を必要なときのみに昇圧させることが可能となり、前記トランスの過熱対策と省エネルギー化とを両立させることが可能となる。
【発明の効果】
【００１６】
本発明によれば、前記電源装置を継続使用可能とし、ユーザの利便性を損なうことなく当該電源装置が有する前記トランスの過熱対策を行うことが可能となる。
【図面の簡単な説明】
【００１７】
【図１】本発明の一実施形態に係る電源装置を示す回路図である。
【図２】図１に示す電源装置が有する制御ユニットの構成を示す機能ブロック図である。
【図３】図２に示す制御ユニットによるトランスの出力電圧制御を示すフローチャートである。
【図４】本発明の他の実施形態に係る電源装置が有する制御ユニットの構成を示す機能ブロック図である。
【図５】図４に示す制御ユニットによるトランスの出力電圧制御を示すフローチャートである。
【発明を実施するための形態】
【００１８】
以下、本発明の実施の形態について、図面に基づいて詳細に説明する。図１は、本発明の一実施形態に係る電源装置１００を示す回路図である。電源装置１００は、例えばスイッチング電源回路であり、接続端子Ｔｍ１，Ｔｍ２，Ｔｍ３，Ｔｍ４、ダイオードブリッジＤ１、ダイオードＤ２，Ｄ３、コンデンサＣ１，Ｃ２、トランスＴｒ、ＦＥＴ（Field Effect Transistor）Ｑ１、抵抗Ｒ１，Ｒ２，Ｒ３，Ｒ４、フォトカプラＰＣ、冷却ファン１０１、ファンモータ１０３、サーミスタ１０５、温度ヒューズ１０７、および制御ユニット１２０、を備える。
【００１９】
接続端子Ｔｍ１およびＴｍ２は、商用交流電源ＡＣに接続される接続端子である。ダイオードブリッジＤ１は、接続端子Ｔｍ１およびＴｍ２によって受電された交流電圧を整流して脈流を生成する。コンデンサＣ１は、ダイオードブリッジＤ１で生成された前記脈流を平滑して直流電圧を生成する。コンデンサＣ１の両端電圧は、コンデンサＣ１に並列に接続されたトランスＴｒの一次巻線とＦＥＴＱ１との直列回路に印加される。
【００２０】
ＦＥＴＱ１のドレインは、トランスＴｒの一次巻線の一端に接続されている。さらに、ＦＥＴＱ１のゲートは、抵抗Ｒ１と抵抗Ｒ２との直列回路における一方の端子に接続され、ＦＥＴＱ１のソースは、制御ユニット１２０に接続されている。ＦＥＴＱ１は、制御ユニット１２０から出力される駆動信号に基づき高周波でオン・オフを繰り返すことにより、トランスＴｒの一次巻線に断続的に電流を供給する。当該一次巻線に断続的に電流が流れることで、電磁誘導によってトランスＴｒの二次巻線に高周波電圧が誘起される。なお、ＦＥＴＱ１に代えてバイポーラトランジスタを含むトランジスタ全般を用いることが可能である。
【００２１】
抵抗Ｒ１と抵抗Ｒ２との直列回路における他方の端子は、制御ユニット１２０に接続されている。抵抗Ｒ１には、ダイオードＤ３が並列に接続されている。ダイオードＤ３は、制御ユニット１２０からＦＥＴＱ１のゲートに向けて電流が流れること（電流の逆流）を防止するためのものである。
【００２２】
コンデンサＣ１と前記一次巻線との間の電流経路上には、温度ヒューズ１０７が、トランスＴｒに接触させて設けられている。温度ヒューズ１０７は、トランスＴｒが所定温度以上になった場合に溶断し、コンデンサＣ１から前記一次巻線への電流供給を遮断する。
【００２３】
トランスＴｒの二次巻線の一方の端子は、ダイオードＤ２のアノードと接続されている。前記二次巻線の他方の端子は、グランドに接続されている。前記二次巻線とダイオードＤ２との直列回路には、コンデンサＣ２が並列に接続されている。また、コンデンサＣ２には、前記二次巻線とダイオードＤ２との直列回路に対して、抵抗Ｒ３と抵抗Ｒ４との直列回路、およびファンモータ１０３が並列に接続されているとともに、接続端子Ｔｍ３，Ｔｍ４を介して、負荷Ｌｄが並列に接続されている。
【００２４】
ファンモータ１０３は、冷却ファン１０１を駆動するためのモータである。サーミスタ１０５（温度検出部）は、トランスＴｒの近傍に設けられ、トランスＴｒの温度を検出する。サーミスタ１０５の検出温度が、予め定められた上限値Ｔｈ１を超えた場合に、後述のファンモータ制御部１２２によりファンモータ１０３が駆動され、これにより、冷却ファン１０１が回転して、発熱部であるトランスＴｒを冷却する。
【００２５】
フォトカプラＰＣは、フォトダイオードおよびフォトトランジスタを備えてなる。フォトダイオードのアノードは、抵抗Ｒ３と抵抗Ｒ４との接続に接続されており、カソードはグランドに接続されている。また、前記フォトトランジスタの入力端子（コレクタ）および出力端子（エミッタ）は、制御ユニット１２０にそれぞれ接続されている。したがって、コンデンサＣ２の出力電圧は、抵抗Ｒ４，Ｒ５により分圧され、フォトカプラＰＣを介して制御ユニット１２０へ入力される。
【００２６】
図２は、制御ユニット１２０の構成を示す機能ブロック図である。制御ユニット１２０は、例えば、例えば所定の演算処理を実行するＣＰＵ（Central Processing Unit）と、所定の制御プログラムが記憶されたＲＯＭ（Read Only Memory）と、データを一時的に記憶するＲＡＭ（Random Access Memory）と、これらの周辺回路等とを備えて構成されている。前記ＲＯＭおよび前記ＲＡＭは記憶部１２９として機能し、ＲＯＭに記憶された前記制御プログラムを実行することにより、前記ＣＰＵは、ＰＷＭ（パルス幅変調）制御部１２１（出力電圧調整部）、ファンモータ制御部１２２、過昇温頻度算出部１２３、および出力電圧検出部１２４として機能する。
【００２７】
ファンモータ制御部１２２は、サーミスタ１０５が検出したトランスＴｒの温度が、予め定められた上限値Ｔｈ１を超えた場合に、ファンモータ１０３を駆動させ、冷却ファン１０１によるトランスＴｒの冷却を行わせる。なお上限値Ｔｈ１は、電源装置１００を構成する各種素子、例えばＦＥＴＱ１や制御ユニット１２０を構成するＣＰＵ等の耐熱温度を下まわる温度に設定され、予め記憶部１２９に記憶されている。
【００２８】
過昇温頻度算出部１２３は、サーミスタ１０５が検出したトランスＴｒの温度を予め定められた時間毎にサンプリングし、予め定められた期間に当該温度が上限値Ｔｈ１以上となった頻度である過昇温頻度を算出する。出力電圧検出部１２４は、抵抗Ｒ３，Ｒ４により分圧され、フォトカプラＰＣを介して制御ユニット１２０（ＰＷＭ制御部１２１）へフィードバックされたコンデンサＣ２の出力電圧の分圧電圧、すなわち、抵抗Ｒ３と抵抗Ｒ４との接続点における分圧電圧を読み込む。
【００２９】
ＰＷＭ制御部１２１は、トランスＴｒの二次側の出力電圧、すなわちコンデンサＣ２の出力電圧を一定に保持するように、ＦＥＴＱ１により生成されるパルスの幅を制御する。ＰＷＭ制御部１２１は、出力電圧検出部１２４がモニタした前記出力電圧を基準電圧と比較し、その比較結果に応じてＦＥＴＱ１のオンデューティを制御し、ＦＥＴＱ１により生成される電流パルスの幅を制御することで、コンデンサＣ２の出力電圧を定電圧化する。
【００３０】
すなわち、ＰＷＭ制御部１２１は、出力電圧検出部１２４が検出した前記出力電圧が低下した場合に当該出力電圧を昇圧させ、出力電圧検出部１２４が検出した前記出力電圧が上昇した場合に当該出力電圧を降圧させて、コンデンサＣ２の出力電圧を所定の電圧に保つ。
【００３１】
また、ＰＷＭ制御部１２１は、過昇温頻度算出部１２３が算出した前記過昇温頻度が、予め定められた第１の値以上となった場合に、例えば出力電圧検出部１２４の検出値として当該検出値の実測値から予め定められた値を減じた値を用いることで、コンデンサＣ２の出力電圧を昇圧させてファンモータ１０３の駆動電圧を昇圧させる。
【００３２】
図３は、制御ユニット１２０によるトランスＴｒ二次側（コンデンサＣ２）の出力電圧制御を示すフローチャートである。電源装置１００が起動されると、過昇温頻度算出部１２３は、サーミスタ１０５が検出したトランスＴｒの温度（以下、ｎ回目に読み込んだ当該温度をＴｎとする）を予め定められた時間毎に読込み（ステップＳ１）、当該読込み毎に（ステップＳ１でＹＥＳ）、サンプリング数ｎを１つインクリメントする（ステップＳ２）。続いて過昇温頻度算出部１２３は、前記温度Ｔｎと、前記上限値Ｔｈ１とを比較し（ステップＳ３）、当該温度Ｔｎが当該上限値Ｔｈ１以上である場合に（ステップＳ３でＹＥＳ）、過昇温検知回数ｎｔを１つインクリメントする（ステップＳ４）。
【００３３】
過昇温検知回数ｎｔが予め定められた回数Ｎ１以上（ステップＳ５でＹＥＳ）、かつ、サンプリング数ｎが予め定められた回数Ｎ２以下（ステップＳ６でＹＥＳ）となった場合、すなわち前記過昇温頻度が前記の予め定められた第１の値に該当する（Ｎ１／Ｎ２）以上となった場合に、ＰＷＭ制御部１２１は、出力電圧検出部１２４の検出値として当該検出値の実測値Ｖから予め定められた値Ｋを減じた値Ｖｏを用いる（ステップＳ９）。これにより、ＰＷＭ制御部１２１は、コンデンサＣ２の出力電圧を昇圧させてファンモータ１０３の駆動電圧を昇圧させる。
【００３４】
前記の値Ｋは、コンデンサＣ２の出力電圧が、ファンモータ１０３の動作保証電圧の上限となる値、例えば、ファンモータ１０３の定格電圧を１０％上回る電圧となる値とされ、前記の回数Ｎ１およびＮ２とともに、予め記憶部１２９に記憶されている。なお、前記温度Ｔｎが前記上限値Ｔｈ１未満である場合（ステップＳ３でＮＯ）と、過昇温検知回数ｎｔがＮ１未満の場合は（ステップＳ５でＹＥＳ）、いずれもステップＳ１に戻る。
【００３５】
また、過昇温検知回数ｎｔがＮ１以上であっても（ステップＳ５でＹＥＳ）、サンプリング数ｎがＮ２を超える場合は（ステップＳ６でＹＥＳ）、過昇温頻度算出部１２３は、１回目の読込みから（Ｎ２＋１）回目の読込みまでの過昇温検知回数を、過昇温検知回数ｎｔから減じて新たに過昇温検知回数ｎｔとし（ステップＳ７）、サンプリング数ｎを、（Ｎ２−１）とする（ステップＳ８）。ステップＳ８に進んだ場合も、ステップＳ１に戻る。これにより、直近の読込みを含むＮ２回の読込みにおける過昇温検知回数ｎｔがＮ１以上となるか否かが、ステップＳ５において判別されることになる。
【００３６】
ステップＳ９において、ＰＷＭ制御部１２１が、電源装置１００の出力電圧を昇圧させてファンモータ１０３の駆動電圧を昇圧させると、過昇温頻度算出部１２３は、サンプリング数ｎを０にリセットする（ステップＳ１０）。続いて過昇温頻度算出部１２３は、サーミスタ１０５が検出した電源装置１００の温度Ｔｎを予め定められた時間毎に読み込み（ステップＳ１１）、当該読込み毎に（ステップＳ１１でＹＥＳ）、前記温度Ｔｎと、前記上限値Ｔｈ１とを比較する（ステップＳ１２）。
【００３７】
前記温度Ｔｎが、前記上限値Ｔｈ１以上の場合は（ステップＳ１２でＹＥＳ）、ステップＳ１０に戻り、過昇温頻度算出部１２３は、サンプリング数ｎを０にリセットする。一方、前記温度Ｔｎが、前記上限値Ｔｈ１未満の場合は（ステップＳ１２でＮＯ）、過昇温頻度算出部１２３は、サンプリング数ｎを１つインクリメントする（ステップＳ１３）。
【００３８】
サンプリング数ｎが予め定められた回数Ｎ３以上の場合（ステップＳ１４でＹＥＳ）、すなわち、ステップＳ９に進んだ後に、前記過昇温頻度が予め定められた第２の値に該当する（１／Ｎ３）以上となった場合、ＰＷＭ制御部１２１は、出力電圧検出部１２４の検出値として用いる値Ｖｏを、当該検出値の実測値Ｖに戻す（ステップＳ１５）。これにより、ファンモータ１０３の駆動電圧の昇圧が停止する。続いて過昇温頻度算出部１２３が、サンプリング数ｎを０にリセットし（ステップＳ１６）、ステップＳ１に戻る。なお、Ｎ３は、（１／Ｎ３）＜（Ｎ１／Ｎ２）となる値であり、予め記憶部１２９に記憶されている。
【００３９】
電源装置１００によれば、前記過昇温頻度が予め定められた第１の値（Ｎ１／Ｎ２）以上となった場合に、ファンモータ１０３の回転数を増加させて冷却ファン１０１の冷却能力を向上させることが可能となる、そのため、電源装置１００が有する発熱部であるトランスＴｒの過熱による温度ヒューズ１０７の溶断を抑制可能となる。また、冷却ファン１０１の冷却能力が向上することで、冷却ファン１０１の作動頻度および作動時間を低減することが可能となるので、冷却ファン１０１の損耗を抑制可能となる。したがって、電源装置１００を継続使用可能とし、ユーザの利便性を損なうことなくトランスＴｒの過熱対策を行うことが可能となる。
【００４０】
さらに電源装置１００によれば、ＰＷＭ制御部１２１は、過昇温頻度算出部１２３が算出した前記過昇温頻度が、前記第１の値（Ｎ１／Ｎ２）以上となった後に、前記第２の値（１／Ｎ３）以下となった場合には、出力電圧検出部１２４の検出値として用いる値を、Ｖｏ（＝当該検出値の実測値Ｖ−Ｋ）から当該実測値Ｖに戻し、ファンモータ１０３の駆動電圧の昇圧を停止するので、ファンモータ１０３の駆動電圧を必要なときのみに昇圧させることが可能となり、トランスＴｒの過熱対策と省エネルギー化とを両立させることが可能となる。
【００４１】
以上、本発明の一実施形態に係る電源装置１００について説明したが、当該実施形態はあくまでも例示であり、本発明は、当該実施形態に限定されるものではなく、その趣旨を逸脱しない範囲で種々変更、改良等が可能であり、例えば以下のような変形実施形態を取ることができる。
【００４２】
（１）上記実施形態における制御ユニット１２０は、過昇温頻度算出部１２３を備え、上記の制御を行うが、制御ユニット１３０として図４に示すように、過昇温頻度算出部１２３に代えて過昇温時間算出部１３３を備える構成としても、上記実施形態と同様の効果を得ることができる。すなわち、制御ユニット１３０は、ＰＷＭ制御部１３１、ファンモータ制御部１３２、過昇温時間算出部１３３、出力電圧検出部１３４、および記憶部１３９を備える。ファンモータ制御部１３２、出力電圧検出部１３４、および記憶部１３９の機能および動作は、制御ユニット１２０が備えるファンモータ制御部１２２、出力電圧検出部１２４、および記憶部１２９の機能および動作と同様であるので、これら各部の説明は省略する。
【００４３】
過昇温時間算出部１３３は、サーミスタ１０５が検出した電源装置１００の温度を読み込み、当該温度が上限値Ｔｈ１以上となった場合に、当該温度が継続して上限値Ｔｈ１以上となっている時間である過昇温時間を算出する。
【００４４】
ＰＷＭ制御部１３１は、過昇温時間算出部１３３が算出した前記過昇温時間が、予め定められた第１の時間以上となった場合に、例えば出力電圧検出部１３４の検出値として当該検出値の実測値から予め定められた値を減じた値を用いることで、コンデンサＣ２の出力電圧を昇圧させてファンモータ１０３の駆動電圧を昇圧させる。なお、ＰＷＭ制御部１３１が、コンデンサＣ２の出力電圧を一定に保持するように、ＦＥＴＱ１により生成されるパルスの幅を制御する点は、制御ユニット１２０が備えるＰＷＭ制御部１２１と同様である。
【００４５】
図５は、制御ユニット１３０によるトランスＴｒ二次側（コンデンサＣ２）の出力電圧制御を示すフローチャートである。電源装置１００が起動されると、過昇温時間算出部１３３は、サーミスタ１０５が検出した電源装置１００の温度Ｔを読み込み（ステップＳ１０１）、当該読み込み毎に（ステップＳ１０１でＹＥＳ）、前記温度Ｔと、前記上限値Ｔｈ１とを比較する（ステップＳ１０２）。当該温度Ｔが当該上限値Ｔｈ１以上である場合に（ステップＳ１０２でＹＥＳ）、過昇温時間算出部１３３は、サンプリング数ｎのカウントを開始する（ステップＳ１０３）。前記温度Ｔが前記上限値Ｔｈ１未満の場合は（ステップＳ１０２でＮＯ）、ステップＳ１０１に戻る。
【００４６】
ステップＳ１０３の後も、過昇温時間算出部１３３は、サーミスタ１０５が検出した電源装置１００の温度Ｔを読み込み（ステップＳ１０４）、当該読み込み毎に（ステップＳ１０４でＹＥＳ）、前記温度Ｔと、前記上限値Ｔｈ１とを比較する（ステップＳ１０５）。当該温度Ｔが当該上限値Ｔｈ１未満の場合は（ステップＳ１０５でＮＯ）、ステップＳ１０１に戻る。当該温度Ｔが当該上限値Ｔｈ１以上である場合は（ステップＳ１０５でＹＥＳ）、ステップＳ１０６に進み、サンプリング数ｎを１つインクリメントする。
【００４７】
続いて過昇温時間算出部１３３は、サンプリング数ｎが予め定められた回数Ｎ１以下であるか否かを判別する（ステップＳ１０７）。サンプリング数ｎがＮ１未満の場合（ステップＳ１０７でＮＯ）、すなわち、前記過昇温時間が、前記の予め定められた第１の時間に該当する（サンプリング間隔×（Ｎ１−１））未満の場合は、ステップＳ１０４に戻る。一方、サンプリング数ｎがＮ１以上である場合は（ステップ１０７でＹＥＳ）、ＰＷＭ制御部１３１は、出力電圧検出部１３４の検出値として当該検出値の実測値Ｖから予め定められた値Ｋを減じた値Ｖｏを用いる（ステップＳ１０８）。これにより、ＰＷＭ制御部１３１は、コンデンサＣ２の出力電圧を昇圧させてファンモータ１０３の駆動電圧を昇圧させる。
【００４８】
制御ユニット１２０と同様に、前記の値Ｋは、電源装置１００の出力電圧が、ファンモータ１０３の動作保証電圧の上限となる値、例えば、ファンモータ１０３の定格電圧を１０％上回る電圧となる値とされ、前記の回数Ｎ１とともに、予め記憶部１３９に記憶されている。
【００４９】
ステップＳ１０８において、ＰＷＭ制御部１３１が、電源装置１００の出力電圧を昇圧させてファンモータ１０３の駆動電圧を昇圧させると、過昇温時間算出部１３３は、サンプリング数ｎを０にリセットする（ステップＳ１０９）。続いて過昇温時間算出部１３３は、サーミスタ１０５が検出した電源装置１００の温度Ｔを読み込み（ステップＳ１１０）、当該読込み毎に（ステップＳ１１０でＹＥＳ）、前記温度Ｔと、前記上限値Ｔｈ１とを比較する（ステップＳ１１１）。
【００５０】
前記温度Ｔが、前記上限値Ｔｈ１以上の場合は（ステップＳ１１１でＹＥＳ）、ステップＳ１０９に戻り、過昇温時間算出部１３３は、サンプリング数ｎを０にリセットする。一方、前記温度Ｔが、前記上限値Ｔｈ１未満の場合は（ステップＳ１１１でＮＯ）、過昇温時間算出部１３３は、サンプリング数ｎを１つインクリメントする（ステップＳ１１２）。
【００５１】
サンプリング数ｎが予め定められた回数Ｎ２以上の場合（ステップＳ１１３でＹＥＳ）、すなわち、サーミスタ１０５が検出した前記温度Ｔが前記上限値Ｔｈ１以上となった第１の時点（ステップＳ１０３）の後に、前記温度Ｔが前記上限値Ｔｈ１未満となった第２の時点（ステップＳ１１２でｎ＝１となる時点）から、当該温度Ｔが当該上限値Ｔｈ１以上となることなく、予め定められた第２の時間に該当する（サンプリング間隔×（Ｎ２−１））を経過した場合には、ＰＷＭ制御部１３１は、出力電圧検出部１３４の検出値として用いる値Ｖｏを、当該検出値の実測値Ｖに戻す（ステップＳ１１４）。これにより、ファンモータ１０３の駆動電圧の昇圧が停止する。なお、Ｎ２は、予め記憶部１３９に記憶されている。一方、サンプリング数ｎがＮ２未満の場合は（ステップＳ１１３でＮＯ）、ステップＳ１１０へと戻る。また、ステップＳ１１４の後は、ステップＳ１に戻る。
【００５２】
（２）電源装置１００の積算運転時間の増加に応じて、前記上限値Ｔｈ１を減少させるようにしてもよい。このようにすれば、電源装置１００に用いる各種素子が劣化し、当該素子の耐熱温度が低下した場合にも、当該素子を的確に冷却し、当該素子の劣化の進行を抑制することが可能となる。
【符号の説明】
【００５３】
１００  電源装置
１０１  冷却ファン
１０３  ファンモータ
１０５  サーミスタ（温度検出部）
１２０、１３０  制御ユニット
１２１、１３１  ＰＷＭ制御部（出力電圧調整部）
１２２、１３２  ファンモータ制御部
１２３  過昇温頻度算出部
１２４、１３４  出力電圧検出部
１３３  過昇温時間算出部
【図１】
2014107892.tif 000003
【図２】
2014107892.tif 000004
【図３】
2014107892.tif 000005
【図４】
2014107892.tif 000006
【図５】
2014107892.tif 000007